(57)【特許請求の範囲】
【請求項１】
キッチンユニットに内蔵され、水を加熱する加熱容器を有する加熱ユニットと、水道管から加熱容器へ供給する給水経路と、前記給水経路に切替弁を介して水をキッチンユニット上部に送水する出水配管とを有し、前記切替弁と出水配管の出水口の間に逆止弁とを設けた給湯装置。
【請求項２】
切替弁は、常時出水配管側に開口させる構成とした請求項１記載の給湯装置。
【請求項３】
水道管から加熱容器へ供給する給水経路中に給水弁を設け、前記給水弁は前記加熱容器の水位を検知して自動的に弁を開閉させ、かつ前記開動作よりも先に出水配管側から加熱容器側に切り換える切替弁を備えた請求項１または２記載の給湯装置。
【請求項４】
キッチンユニットに内蔵され、水を加熱する加熱容器を有する加熱ユニットと、水道管から加熱容器へ供給する給水経路と、前記給水経路に切替弁を介して水をキッチンユニット上部に前記出水配管と出水口に至る経路を連接する連接パイプとを有し、前記連接パイプ内に逆止弁を設けた給湯装置。
【請求項５】
逆止弁を付勢部材により押しつけ密閉を保つ弾性部材を保持するホルダーから構成される逆止弁ユニットを、キッチンユニット上部に出水配管と出水口に至る経路を連接する連接パイプ内にシール部材を介して取り付けられる請求項４記載の給湯装置。
【請求項６】
連接パイプと逆止弁ユニットのシール部は逆止弁付勢側に設け、かつ連結パイプのシール部の上部側に広く開口させた請求項４記載の給湯装置。
【発明の詳細な説明】
【０００１】
【発明が属する技術分野】
本発明は、シンクキャビネットの筐体内に設置する飲用、調理用の高温のお湯を供給する給湯装置に関する。
【０００２】
【従来の技術】
図４に、特開２００１−３４３１５４号公報に示された従来のシンクキャビネットを含む給湯装置の構成図を示す。
【０００３】
１０１は水道水を送るための水道管、１０２は貯水容器、１０３は切替弁である。１０４は出水口で、吐出ユニット１０５内に設けた操作部１０６の出水ボタン１０７を操作している間、給水弁１０８が開きかつ、出水配管１０９側に切替弁１０３を連接することで、水を出水させることができる。また、操作部１０６の出湯ボタン１１０を操作している間は、貯水容器１０２の下部に配置したポンプ１１１が作動し出湯口１１２より湯を出湯させることができる。貯水容器１０２内に水を供給するために切替弁１０３を給水経路側に連接し、給水弁１０８を開くと貯水容器１０２へ送ることができる。貯水容器１０２の水位は水位センサー１１３により検知されており、前記貯水容器１０２への水の供給・停止は自動で行われる。
【０００４】
【発明が解決しようとする課題】
しかしながら前記従来の構成では、切替弁１０３が、貯水容器１０２内の水位低下を検知し作動すると、出水配管１０９側に負圧が発生し、その結果出水口１０４の出口付近で、図５のように停止している水が圧力のバランスを崩して外部に滴下してしまうという課題を有していた。
【０００５】
本発明は上記従来の課題を解決するもので、切替弁動作時の出水配管の負圧による不意の出水口からの水の滴下を防止することを目的としている。
【０００６】
【課題を解決するための手段】
前記従来の課題を解決するために、本発明の給湯装置は、水道管から加熱容器へ供給する給水経路に設けた切替弁と前記切替弁に設置された出水口に至る出水水管経路中に逆止弁を設けた構成とした。
【０００７】
この構成により、切替弁が切り替わるときに発生する出水配管の負圧による出水口からの水の不意の滴下を防止することができる。
【０００８】
【発明の実施の形態】
請求項１記載の発明は、キッチンユニットに内蔵され、水を加熱する加熱容器を有する加熱ユニットと、水道管から加熱容器へ供給する給水経路と、前記給水経路に切替弁を介して、水をキッチンユニット上部に送水する出水配管とを有し、前記切替弁と出水配管の出水口の間に逆止弁を設けた給湯装置とするもので、切替弁が切り替わるときに発生する出水配管の出水口からの水の不意の滴下を防止することができる。
【０００９】
請求項２記載の発明は、特に請求項１に記載した切替弁を常時出水配管側に開口させる構成とした給湯装置とするもので、出水口からの出水開始時間を最短にすることができる。
【００１０】
請求項３記載の発明は、水道管から加熱容器へ供給する給水経路中に給水弁を設け、前記給水弁は前記加熱容器の水位を検知して自動的に弁を開閉させ、かつ前記開動作よりも先に出水配管側から加熱容器側に切り換える切替弁を備るもので、加熱容器に水が供給されるときに不意に出水配管の出水口から水が出ることを防止することができる。
【００１１】
請求項４記載の発明は、出水配管と出水配管の出水口に至る経路を連接する連接パイプを設け、前記連接パイプ内に逆止弁を設けた構成にすることにより、逆止弁の取り付けを確実にし、かつ出水配管の出水口からの水の不意の滴下防止作用を向上させることができる。
【００１２】
請求項５記載の発明は、逆止弁を付勢部材により押しつけ密閉を保つ弾性部材を保持するホルダーから構成される逆止弁ユニットを、キッチンユニット上部に出水配管と出水口に至る経路を連接する連接パイプ内にシール部材を介して取り付ける構成により、容易に逆止弁を取り付けることができる。
【００１３】
請求項６記載の発明は、連接パイプと、逆止弁ユニットのシール部は逆止弁付勢側に設け、かつ連結パイプの取付部上方を広く開口させる構成により逆止弁のセットの向きを明確にすることができる。
【００１４】
【実施例】
以下、本発明の一実施例について、図面を参照しながら説明する。なお、本実施例では給湯装置をシステムキッチンのシンクキャビネットに用いた場合につき説明する。
【００１５】
図１は本発明の一実施例における給湯装置をシンクキャビネットに用いた場合の正面断面図である。図１において、シンクキャビネット９に設置されている給湯装置は、シンクキャビネット９内に収納された給湯ユニット１０と、シンクキャビネット９上面に設けられた吐出ユニット１１から成っている。給湯ユニット１０は浄水手段である浄水カートリッジ１２と湯沸かし部１３とにより構成している。この湯沸かし部１３は主に湯沸かし部１３の外郭を形成する本体１４と、水を貯える貯水容器１５，水を加熱するヒータ１６および水量を検知する水位センサ１７などより構成されている。
【００１６】
水道管１より分岐して設けた給水弁１８を開にすることにより導入した水道水は原水経路１９を通り、水道水を浄化する浄水手段である浄水カートリッジ１２に至る。浄水カートリッジ１２によって浄化した水は湯沸かし部１３の本体１４内に導入され、給水経路２０を通り貯水容器１５の上方に開口した給水口２１より吐水され、貯水容器１５に貯水される。貯水された水はヒータ１６によって加熱され熱湯になる。
【００１７】
ここで、給水口２１と浄水カートリッジ１２とを結ぶ水路上に切替弁２２を設け、この切替弁２２の切り替えにより浄化した水を貯水容器１５が内包された本体１４の外部に設けた出水口２３から吐出させることができる。また切替弁２２は常時は原水経路１９と出水口２３側を接続させており、貯水容器１５の水位が設定された位置になると自動的に出水口２３側から給水経路２０に水路を切り替えその後、給水弁１８を開にすることにより水道水を貯水容器１５に供給する様に設定されている。貯水容器１５の水位が所定の位置になると給水弁１８は閉となりその後、切替弁２２は再び給水経路２０側から出水口２３に切り替わり原水経路１９と出水口２３側を接続した状態になる。
【００１８】
一方、貯水容器１５の底面近傍に貯水容器１５内の湯を取り出す取水口２４を設け、取水口２４から取り出した湯をポンプ２５によって本体１４の外部の出湯口６から吐出させることができる。出水口２３と出湯口６は共にシンクキャビネット９上面に設置したシンク２６に対応して設置した吐出ユニット１１に設けられている。また出湯口６はシンク２６に向けて開口しており、出湯された湯は必ずシンク２６の内側へ入るようになっている。また、２７は貯水容器１５で発生する蒸気を逃がすための蒸気口である。なお、２８は浄水した水が通る出水配管であり、２９はお湯が通る出湯配管であり、３０は蒸気が通る蒸気配管である。また、３１はシンクキャビネット９上面に固定された吐出ユニット取付台であり、吐出ユニット１１はこの吐出ユニット取付台３１に固定する。また、出水配管２８、出湯配管２９および蒸気配管３０は吐出ユニット取付台３１に設けられた開口部４０を貫通し、吐出ユニット１１に設けられた連結パイプ４１ａ、４１ｂ、４１ｃに接続されている。
【００１９】
図２は出水経路の連結パイプ４１ａの詳細断面図である。４２は出水口２３への経路４３と出水配管２８を接続する連結パイプ４１ａ中に配置された逆止弁ユニットである。逆止弁ユニット４２は、逆止弁４４をゴムなどの弾性部材４５にバネなどの付勢部材４６により保持した筐体４７から構成され取付時は接続パイプ４１ａの内面にシール部４８を介して取り付けられている。本実施例でシール部４８は筐体４７に弾性部材４５を一体成形したもので構成している。また、シール部４８は逆止弁４４付勢側に設け、かつ連結パイプ４７のシール部５３より取付部の上方を広く開口させた構成にすることにより、逆止弁ユニット４２の取付方向を明確にすることができる。
【００２０】
図３は、吐出ユニット１１に搭載された操作部５２の詳細である。４９は出水ボタン、５０は出湯ボタン、５１は出湯ボタン５０の安全スイッチで、５１を一度押した後に、出湯ボタン５０を操作しないと入力を受け付けないようになっている。
【００２１】
以上の構成において、出水、出湯、貯湯容器１５の湯沸かしと給水動作について説明する。出水については、操作部５２の出水ボタン４９を操作すると操作の間、給水弁１８が開き、出水配管２８を通過し、逆止弁ユニット４２の逆止弁４４の付勢部材４６の付勢力よりも大きな力が働くため、水は出水口２３より外部に放出される。出水ボタン４９の操作をやめると、給水弁１８が閉じ逆止弁ユニット４２は、逆止弁４４を付勢部材４６で弾性部材４５に押し当てることにより、再び逆止性を保つ。
【００２２】
出湯については、貯水容器１５内で加熱された湯、例えば９０〜９５℃に加熱された湯は、操作部５２の安全スイッチ５１を押し、出湯ボタン５０のロックを解除した後、出湯ボタン５０を操作すると操作の間、貯水容器１５内の湯をポンプ２５によっての出湯口６から吐出させることができる。
【００２３】
出湯操作を繰り返すと、貯水容器１５内の水位は減少する。これを貯水容器１５に設けた水位センサ１７によって検出し、この結果に基づいて切替弁２２を給水口２１側に切替後、給水弁１８を開き給水を開始する。このとき出水配管２８側には、負圧が働くが逆止弁ユニット４２の作用により前記逆止弁ユニット４２から出水口２３間では負圧の影響を受けることがないため、出水口２３からの水の不意の滴下を防止することができる。
【００２４】
給水口２１から吐出した水は、まず貯水容器１５内に設けた給水皿３２に一旦貯えられる。貯えられた水は給水皿３２底面に設けられた滴下パイプ３３によって貯水容器１５底部近傍に導水される。この導水された水は比重差から貯水容器１５内の既存の湯とは混じり合わず、分離した状態で貯水容器１５底部近傍に滞留する。この水の温度を温度センサ３４が検知し、ヒータによって熱湯になるまで加熱される。この時、取水口２４は貯水容器１５内へ一度に給水される給水量に相当する位置、即ち貯水容器１５底部近傍に滞留する水の上限位置より上方に設置されており、取水口２４からはいつでも熱湯しか取水されることはない。また、貯水容器１５内の水は大気に解放された空間で加熱しており、かつ通常最高温度が９５℃を上まわらないように制御しており、さらに、何らかの原因で沸騰した場合は蒸気センサ３５でこれを検出しヒータ１６を制御するので、貯水容器１５内の圧力はほとんど上昇せず、出湯口６から熱湯が噴出することはない。
【００２５】
貯水容器１５内への水の供給は、予め設定した水量を水位センサ１７によって再度検出し、この結果に基づいて給水弁１８を閉め給水を停止した後、切替弁２２を出水配管２８側に再度切り替える。なお、３６は水道水を吐出させる一般水栓であり、３７は排水管である。
【００２６】
【発明の効果】
以上のように、請求項１記載の発明によれば、出水配管と出水口の間に逆止弁を設置することにより、切替弁が切り替わるときに発生する出水配管の負圧による出水口からの水の不意の滴下を防止することができる。
【００２７】
また、請求項２記載の発明によれば、切替弁を常時出水配管側に開口させることにより出水時に、操作部の出水ボタンを操作し、給水弁を開くと水道圧による作用により短時間で出水口を放出させることができる。
【００２８】
また、請求項３記載の発明によれば、給水弁の開口よりも先に出水配管側から加熱容器側に切り換える切替弁を設置することにより、加熱容器に水が供給されるときに不意に出水配管の出水口から水が出ることを防止することができる。
【００２９】
また、請求項４記載の発明によれば、連接パイプ内に逆止弁を設けた構成にすることにより、逆止弁の取り付けを確実にし、かつ出水口までの距離を短縮することで、出水口から水が不意に滴下することを防止する作用の向上が図れる。
【００３０】
また、請求項５記載の発明によれば、逆止弁を付勢部材により押しつけ密閉を保つ弾性部材を保持するホルダーから構成される逆止弁ユニットを連接パイプ内にシール部材を介して取り付ける構成により、容易に逆止弁を取り付けることができる。
【００３１】
また、請求項６記載の発明によれば、連接パイプと逆止弁ユニットのシール部を逆止弁付勢側に設け、かつ連結パイプの取付部上方を広く開口させる構成により逆止弁のセットの向きを明確にすることができる。
【図面の簡単な説明】
【図１】本発明の一実施例における給湯装置をシンクキャビネットに用いた場合の正面断面図
【図２】本発明の一実施例における出水経路の連結パイプの詳細断面図
【図３】本発明の一実施例における給湯装置の操作部を示す図
【図４】従来の技術による給湯装置をシンクキャビネットに用いた場合の正面断面図
【図５】従来の給湯装置の出水口付近の切替弁が切り替わった時の状況を示した図
【符号の説明】
１  水道管
９  シンクキャビネット
１０  給湯ユニット
１３  湯沸かし部
１７  水位センサー
１８  給水弁
２０  給水経路
２２  切替弁
２３  出水口
２８  出水配管
４１ａ  連接パイプ
４２  逆止弁ユニット
４４  逆止弁
４５  弾性部材
４６  付勢部材
４７  筐体（ホルダー）
５３  シール部
【図１】
0003770167.tif 000002
【図２】
0003770167.tif 000003
【図３】
0003770167.tif 000004
【図４】
0003770167.tif 000005
【図５】
0003770167.tif 000006